(57)【特許請求の範囲】
【請求項１】
互いに着脱自在に結合する雄部及び雌部と、雄部に設けられた磁石と、雌部に設けられたリードスイッチとを備え、雄部と雌部とを結合すると、雄部の磁石が雌部のリードスイッチに近接し、磁石の磁力によってリードスイッチを作動させるようにしたバックルにおいて、
前記リードスイッチを雌部の外部から収納可能な収納部と、
収納部を閉鎖する蓋とを備えた
ことを特徴とするバックル。
【請求項２】
前記収納部内に、リードスイッチを位置決めする凹部を設けた
ことを特徴とする請求項１記載のバックル。
【請求項３】
前記収納部内に、リードスイッチに接続されるリード線の一部を位置決めする凹部を設けた
ことを特徴とする請求項１または２記載のバックル。
【請求項４】
前記リード線用の凹部をリード線が雌部の幅方向中央側から外部に延出するように形成した
ことを特徴とする請求項３記載のバックル。
【請求項５】
前記雌部にベルト挿通孔を設け、蓋で閉鎖された収納部をベルト挿通孔に挿通されるベルトによって覆うように構成した
ことを特徴とする請求項１、２、３または４記載のバックル。
【発明の詳細な説明】
【技術分野】
【０００１】
本発明は、例えば人体に着用して使用される人体用エアバッグ装置の電源スイッチとして用いられるリードスイッチを備えたバックルに関するものである。
【背景技術】
【０００２】
従来、例えば工事現場等の高所から落下した際に人体への衝撃を吸収する人体用エアバッグ装置として、人体の所定部位に対応するように設けられたエアバッグと、人体の落下を検知するセンサとを備え、センサによって人体の落下を検知すると、エアバッグを膨張させるようにしたものが知られている（例えば、特許文献１または２参照）。
【０００３】
前記人体用エアバッグ装置は、エアバッグが設けられた衣服状の装着体を人体に着用して使用され、装着体にはセンサの制御部を作動状態にする電源スイッチが設けられている。この電源スイッチは、装着体の胴ベルトのバックルに設けられたリードスイッチからなり、装着体の着用時にバックルの雄部と雌部を結合すると、雄部の先端に取り付けられた磁石が雌部の内部に配置されたリードスイッチに近接し、磁石の磁力によってリードスイッチが作動するようになっている。
【先行技術文献】
【特許文献】
【０００４】
【特許文献１】特開２００３−２６５６３８号公報
【特許文献２】特開２００５−８７３２２号公報
【発明の概要】
【発明が解決しようとする課題】
【０００５】
しかしながら、前記バックルでは、雌部を合成樹脂によって成形した後、雌部の挿入口から雌部内の奥にリードスイッチを組み付けるようにしているため、雌部へのリードスイッチの組付作業が煩雑になり、生産性を低下させるという問題点があった。
【０００６】
本発明は前記問題点に鑑みてなされたものであり、その目的とするところは、雌部へのリードスイッチの組付作業を容易に行うことのできるバックルを提供することにある。
【課題を解決するための手段】
【０００７】
本発明は前記目的を達成するために、互いに着脱自在に結合する雄部及び雌部と、雄部に設けられた磁石と、雌部に設けられたリードスイッチとを備え、雄部と雌部とを結合すると、雄部の磁石が雌部のリードスイッチに近接し、磁石の磁力によってリードスイッチを作動させるようにしたバックルにおいて、前記リードスイッチを雌部の外部から収納可能な収納部と、収納部を閉鎖する蓋とを備えている。
【０００８】
これにより、リードスイッチを雌部の外部から収納部に収納し、収納部を蓋によって閉鎖することにより、雌部にリードスイッチが組み付けられる。
【発明の効果】
【０００９】
本発明によれば、リードスイッチを雌部の外部から組み付けることができるので、雌部へのリードスイッチの組付作業を容易に行うことのでき、生産性の向上を図ることができる。
【図面の簡単な説明】
【００１０】
【図１】本発明の一実施形態を示すバックルの平面図
【図２】雄部の平面図
【図３】雌部の一部分解平面図
【図４】雄部の表面側斜視図
【図５】雄部の裏面側斜視図
【図６】雌部の分解斜視図
【図７】雌部の分解斜視図
【図８】雌部の一部分解側面断面図
【図９】雌部の側面断面図
【図１０】回路構成を示す概略図
【発明を実施するための形態】
【００１１】
図１乃至図１０は本発明の一実施形態を示すものである。同図に示すバックルは、例えば人体用エアバッグ装置等、一対のベルト１，２に取り付けられた雄部及び雌部を着脱することにより電源スイッチがオン／オフする各種装置に用いられるものである。
【００１２】
本実施形態のバックルは、互いに着脱自在に結合する雄部１０及び雌部２０と、雄部１０に設けられた磁石３０と、雌部２０に設けられたリードスイッチ４０と、リードスイッチ４０を収納する収納部５０とを備えている。
【００１３】
雄部１０は合成樹脂の成型品からなり、一方のベルト１が連結される本体部１１を有している。本体部１１の一端側には突出部１２が設けられ、本体部１１の幅方向両側には一対のロック片１３が設けられている。本体部１１の他端側には幅方向に延びる一対の横長のベルト挿通孔１１ａ，１１ｂが設けられ、各ベルト挿通孔１１ａ，１１ｂは互いに本体部１１の長手方向に間隔をおいて配置されている。突出部１２は本体部１１の幅方向中央から本体部１１の長手方向に延びるように形成され、その先端部の裏側には磁石３０を固定するための固定部１２ａが設けられている。各ロック片１３は、本体部１１の幅方向に弾性変形可能な弾性片部１３ａと、各弾性片部１３ａの先端に形成された操作部１３ｂとからなり、各操作部１３ｂを本体部１１の幅方向内側に向かって押圧すると、各操作部１３ｂが弾性片部１３ａの弾性弾性変形によって本体部１１の幅方向内側に変位するようになっている。この場合、操作部１３ｂの側面には、指先を係止可能な凹部１３ｃが設けられている。
【００１４】
雌部２０は合成樹脂の成型品からなり、他方のベルト２が連結される本体部２１を有している。本体部２１は一端面を開口した中空状に形成され、その開口部は雄部１０の突出部１２及び各ロック片１３が挿入される挿入口２１ａを形成している。本体部２１の幅方向両側には一対の切り欠き部２１ｂが設けられ、各切り欠き部２１ｂはロック片１３の操作部１３ｂが外部に露出するように開口している。この場合、各操作部１３ｂが切り欠き部２１ｂの縁部に係止することにより、雄部１０と雌部２０が互いにロックされるようになっている。また、本体部２１の他端側には、本体部２１の幅方向に延びる横長のベルト挿通孔２１ｃが設けられている。
【００１５】
磁石３０は、薄型円柱状の永久磁石からなり、図５に示すように雄部１０の固定部１２ａに本体部１１の裏側から取り付けられている。
【００１６】
リードスイッチ４０は両端に導線部４０ａを有し、磁石３０を近接すると、磁石３０の磁力によって各導線部４０ａ間を導通する周知の機器からなる。
【００１７】
収納部５０は、雌部２０の本体部２１の他端側に設けられ、リードスイッチ４０のほか、リード線４１の一部、ＬＥＤ４２及び抵抗器４３を収納するようになっている。収納部５０は、本体部２１の表側の面が開放されており、その内部には、リードスイッチ４０を位置決めする第１の凹部５１と、リード線４１の一部を位置決めする第２の凹部５２と、ＬＥＤ４２を位置決めする第３の凹部５３と、抵抗器４３を位置決めする第４の凹部５４が設けられている。第１の凹部５１は、リードスイッチ４０を各導線部４０ａが収納部５０の幅方向両側に向かって延びるように位置決めすることにより、リードスイッチ４０を収納部５０の幅方向中央に配置している。第２の凹部５２は、リード線４１を曲げて位置決めするとともに、リード線４１の曲がり部分の中心に位置する突起５２ａをリード線４１に係止し、リード線４１を収納部５０の幅方向中央から外部に延出するように配置している。第３の凹部５３はＬＥＤ４２を収納部５０の幅方向一方に臨むように位置決めしており、本体部２１の一側面にはＬＥＤ４２の先端部（発光部）を外部に露出させる孔２１ｄが設けられている。また、第３の凹部５３は、３つの突起５３ａの間にＬＥＤ４２から延出する一対の導線部４２ａを保持するようになっている。第４の凹部５４は突起５４ａと収納部５０の内面との間に抵抗器４３の一方の導線部４３ａを保持することにより、抵抗器４３を位置決めするようになっている。
【００１８】
また、収納部５０はその開放面を閉鎖する蓋５５を有し、蓋５５は収納部５０の開放面を覆うように板状に形成されている。蓋５５の内面には幅方向一対の第１の突起５５ａが設けられ、収納部５０内に設けた孔５０ａに各第１の突起５５ａを圧入することにより、蓋５５が収納部５０に取り付けられるようになっている。また、蓋５５の内面には幅方向一対の第２の突起５５ｂが設けられ、蓋５５を収納部５０に取り付けると、各第２の突起５５ｂによってリードスイッチ４０の各導線部４０ａが保持されるようになっている。
【００１９】
リードスイッチ４０、リード線４１、ＬＥＤ４２及び抵抗器４３は、図６及び図７に示すように外部から収納部５０に収納された後、半田付けにより接続され、図１０に示す回路を構成する。即ち、リード線４１は電源入力線４１ａ、電源出力線４１ｂ及びＬＥＤ制御入力線４１ｃからなり、リードスイッチ４０、電源入力線４１ａ及び電源出力線４１ｂが直列に接続され、ＬＥＤ４２、抵抗器４３、ＬＥＤ制御入力線４１ｃ及び電源出力線４１ｂが直列に接続されている。
【００２０】
以上のように構成されたバックルにおいては、雄部１０の各ベルト挿通孔１１ａ，１１ｂに一方のベルト１を挿通することにより、一方のベルト１が雄部１０に連結される。また、雌部２０のベルト挿通孔２１ｃに他方のベルト２を挿通することにより、他方のベルト２が雌部２０に連結される。その際、図９に示すように他方のベルト２は、雌部２０の他端側を巻回するように連結され、蓋５０で閉鎖された収納部５０がベルト２によって覆われる。
【００２１】
また、前記バックルにおいては、雄部１０の突出部１２及び各ロック片１３を雌部２０の本体部２１内に挿入すると、各ロック片１３の操作部１３ｂが雌部２０の挿入口２１ａの内縁部に当接し、各ロック片１３が本体部２１の幅方向内側に向かって弾性変形しながら本体部２１内に挿入される。続いて、各ロック片１３の操作部１３ｂが雌部２０の切り欠き部２１ｂまで達すると、各ロック片１３が本体部２１の幅方向外側に向かって復元して各操作部１３ｂが切り欠き部２１ｂから外部に露出するとともに、各操作部１３ｂが切り欠き部２１ｂの縁部に係止して雄部１０と雌部２０とがロックされる。その際、図１に示すように雄部１０の突出部１２に取り付けられている磁石３０が雌部２０の収納部５０内のリードスイッチ４０に近接し、磁石３０の磁力によってリードスイッチ４０がオンとなる。これにより、リード線４１の電源入力線４１ａと電源出力線４１ｂとの間が通電し、リード線４１に接続された装置（図示せず）の電源がオンとなる。また、ＬＥＤ制御入力線４１ｃと電源出力線４１ｂとの間も通電し、ＬＥＤ４２が点灯して電源オンの状態が外部に表示される。
【００２２】
本実施形態のバックルによれば、雌部２０に、リードスイッチ４０、リード線４１の一部、ＬＥＤ４２及び抵抗器４３を本体部２１の外部から収納可能な収納部５０を設け、収納部５０を蓋５５によって閉鎖するようにしたので、リードスイッチ４０を雌部２０の外部から容易に組み付けることができ、生産性の向上を図ることができる。
【００２３】
また、収納部５０内に、リードスイッチ４０、リード線４１の一部、ＬＥＤ４２及び抵抗器４３を位置決めする第１乃至第４の凹部５１、５２，５３，５４を設けたので、リードスイッチ４０等の部品を回路基板に実装することなく直接雌部２０に組み付けることができ、構造を簡素化することができる。
【００２４】
この場合、リード線４１用の第２の凹部５２をリード線４１が雌部２０の幅方向中央側から外部に延出するように形成したので、外部に延出するリード線４１をベルト２の内側に配置することができる。これにより、リード線４１が作業者や外部の物品に接触することがなく、リード線４１を保護する上で極めて有利である。
【００２５】
また、蓋５５で閉鎖された収納部５０を雌部２０のベルト挿通孔２１ｃに挿通されるベルト２によって覆うようにしたので、収納部５０をベルト２で保護することができるとともに、蓋５５がベルト２によって覆われているので、蓋５５が容易に外れることがないという利点もある。
【符号の説明】
【００２６】
１，２…ベルト，１０…雄部、２０…雌部、２１ｃ…ベルト挿通孔、３０…磁石、４０…リードスイッチ、４１…リード線、５０…収納部、５１…第１の凹部、５２…第２の凹部、５３…第３の凹部、５４…第４の凹部、５５…蓋。
【図１】
0005754843.tif 000002
【図２】
0005754843.tif 000003
【図３】
0005754843.tif 000004
【図４】
0005754843.tif 000005
【図５】
0005754843.tif 000006
【図６】
0005754843.tif 000007
【図７】
0005754843.tif 000008
【図８】
0005754843.tif 000009
【図９】
0005754843.tif 000010
【図１０】
0005754843.tif 000011